(57)【要約】【課題】特定階のかご呼びサービス切り離し時、かご呼びサービス切り離しを一時的に解除する手段を知らない訪問客があった場合、接客者に煩わしさを感じさせず、しかも防犯効果を維持できるエレベーターの制御装置を提供する。【解決手段】かご呼びサービス切り離し指令手段が作動した時、かご呼びサービス切り離し階のかご呼び釦２Ｃが操作されると、かご呼びサービス切り離し階のホール呼び応答灯２ＤＨＬを通常の点灯方法と異なる点灯方法で点灯する。その後、かご呼びサービス切り離し階のホール呼び２Ｄを操作することにより、かご呼びサービス切り離し階のかご呼び応答灯２ＣＬを点灯する。【選択図】        図１
2004182415.tif 000002
【特許請求の範囲】
【請求項１】
一部又は全部の階床のかご呼びサービスを切り離すこと、および、かご呼びサービス切り離しを一時的に解除することが可能なエレベーターの制御装置において、かご呼びサービス切り離し時に、かご呼びサービス切り離し階床のかご呼び釦が操作された時、かご呼びサービス切り離し階のホール呼び応答灯を、通常の点灯方法と異なる点灯方法で点灯し、その後かご呼びサービス切り離し階のホール呼びが登録された時、かご呼びサービス切り離し階のかご呼び応答灯を点灯する構成としたことを特徴とするエレベーターの制御装置。
【発明の詳細な説明】
【０００１】
【発明の属する技術分野】
本発明はエレベーターの制御装置に係り、特に特定階のかご呼びサービス切り離しを指定するためのかご呼びサービス切り離し指令装置を備えたエレベーターの制御装置に関する。
【０００２】
【従来の技術】
従来、この種装置としては、かご内のかご呼び登録釦（行先階登録釦）のうち、かごが待機している階床の行先階登録釦を押し、次に行きたい階床の行先階登録釦を押した場合に限って目的階のかご呼びを登録し、目的階へのサービスに応ずるようにしたものが提案されている（例えば、特許文献１参照。）。
【０００３】
【特許文献１】
特開平１−１２７５７９号公報
（第２頁、右欄上段１６行〜右欄下段１３行、図）
【０００４】
【発明が解決しようとする課題】
従来のエレベーターにおいては、防犯等の目的で特定階のかご呼びサービスの切り離しが指定されている状態において訪問客があった場合、訪問客はかご呼び登録の仕方を知らないので、接客者は来客者を玄関階に迎えに行き、同乗して戻ってくる必要があった。
【０００５】
そのため、煩わしいだけでなく、接客者は、来客者が同乗した状態で目的階のかご呼び登録を行うことになり、特定階のかご呼びサービスの切り離しが指定されている状態下でのかご呼び登録方法（特定階のかご呼びサービス切り離し時の切り離し一時解除方法）が来客者に観られ、かご呼びサービスの切り離しの効果（防犯）が失われてしまう問題が発生する。
【０００６】
本発明の目的は、一部又は全部の階床のかご呼びサービス切り離し時、接客者が玄関階まで迎えに行く煩わしさを解消するとともに、かご呼びサービス切り離しによる防犯効果を維持できるエレベーターの制御装置を提供することにある。
【０００７】
【課題を解決するための手段】
本発明は上述の目的を達成するため、一部又は全部の階床のかご呼びサービスを切り離すこと、および、かご呼びサービス切り離しを一時的に解除することが可能なエレベーターの制御装置において、かご呼びサービス切り離し時に、かご呼びサービス切り離し階床のかご呼び釦が操作された時、かご呼びサービス切り離し階のホール呼び応答灯を、通常の点灯方法と異なる点灯方法で点灯し、その後かご呼びサービス切り離し階のホール呼びが登録された時、かご呼びサービス切り離し階のかご呼び応答灯を点灯する構成としたことを特徴とする。
【０００８】
【発明の実施の形態】
以下、本発明を適用した一実施形態を図１により説明する。
【０００９】
図１は、本発明の一実施形態の電気結線図である。エレベーターは３階床以上の階床間をサービスするのが一般的であるが、以下の例では１階から２階までを就行するものとして説明する。また、図１は主に２階の呼び関係の結線図を示してある。
【００１０】
図において、Ｐ、Ｎは電源、１Ｃは１階かご呼び釦、２Ｃは２階かご呼び釦、Ｘ５１１は１階かご呼び釦１Ｃが操作された時オン（励磁される）するリレー、Ｘ５１２は２階かご呼び釦２Ｃが操作された時オン（励磁される：以下単にオンという）するリレー、Ｘ５１１ａ１はリレーＸ５１１のＡ接点（リレーが無励磁状態で開いており、励磁状態で閉じる接点：以下単にＡ接点という）、Ｘ５１２ａ１〜５１２ａ４はリレーＸ５１２のＡ接点、Ｚ５１２はかご呼び登録リレー、Ｚ５１２ａ１〜Ｚ５１２ａ２はリレーＺ５１２のＡ接点、２Ｄは２階ダウンホール呼び釦、Ｚ８１２は２階ダウンホール呼び登録リレー、Ｚ８１２ａ１〜Ｚ８１２ａ３はリレーＺ８１２のＡ接点、２ＤＨＬは２階ダウンホール呼び応答灯、２ＣＬは２階かご呼び応答灯、ＡＮＧは暗号制御装置、ＡＮＧａ１は２階かご呼び釦操作によりオンするリレーＸ５１２のＡ接点と、１階かご呼び釦操作によりオンするリレーＸ５１１のＡ接点の入力順序で、暗号の成立を判定し暗号成立時オンする暗号制御装置のＡ接点、ＮＳＴ１は２階かご呼びサービス切り離し時オンする図示しないリレーＮＳＴのトランスファー接点、ＮＳＴａ１〜ＮＳＴａ３は２階かご呼びサービス切り離し時オンする図示しないリレーＮＳＴのＡ接点、Ｚ９１２ｂ１〜Ｚ９１２ｂ２はエレベーターが２階到着時オンする図示しないリレーＺ９１２のＢ接点（リレーが無励磁状態で閉じており、励磁状態で開く接点：以下単にＢ接点という）、Ｆは一定時間毎にオンする図示しないフリッカー装置のフリッカー接点を示す。
【００１１】
最初に２階のかご呼びサービス切り離しスイッチが操作されていない場合の説明を下記に示す。２階のかご呼び釦２Ｃが操作されるとリレーＸ５１２がオンする。また、２階のかご呼びサービス切り離しスイッチが操作されていないためリレーＮＳＴはオフ（無励磁：以下単にオフという）となる。このため、Ｐ−Ｘ５１２ａ１−ＮＳＴ１−Ｚ５１２−Ｎの回路が形成されリレーＺ５１２がオンする。このリレーＺ５１２によって２階のかご呼びが登録され、エレベーターが２階にいない場合はリレーＺ９１２がオフしているため、Ｐ−Ｚ５１２ａ１−Ｚ９１２ｂ１−Ｚ５１２−Ｎの回路で、エレベーターが２階に到着しリレーＺ９１２がオンするまで、リレーＺ５１２はオンすることになる。また、Ｚ５１２がオンすることによりＰ−Ｚ５１２ａ２−２ＣＬ−Ｎの回路が形成され２階かご呼び応答灯２ＣＬが点灯する。一方、ホール呼びにおいても、２階ダウンホール呼び釦２Ｄが操作されると、Ｐ−２Ｄ−Ｚ８１２−Ｎの回路が形成されリレーＺ８１２がオンする。このリレーＺ８１２によって２階ダウンホール呼びが登録され、エレベーターが２階にいない場合は、リレーＺ９１２がオフしているため、Ｐ−Ｚ８１２ａ１−Ｚ９１２ｂ２−Ｚ８１２−Ｎの回路で、エレベーターが２階に到着しリレーＺ９１２がオンするまで、リレーＺ８１２はオンすることになる。また、Ｚ８１２がオンすることによりＰ−Ｚ８１２ａ２−２ＤＨＬ−Ｎの回路が形成され、２階ダウンホール呼び応答灯２ＤＨＬが点灯する。
【００１２】
次に、２階かご呼びサービス切り離し時の動作を説明する。２階のかご呼び釦２Ｃが操作されると、リレーＸ５１２がオンする。また、２階のかご呼びサービス切り離しスイッチが操作されているため、リレーＮＳＴはオンしている。このため、Ｐ−Ｘ５１２ａ１−ＮＳＴ１−ＡＮＧａ１−Ｚ５１２−Ｎの回路が、ＡＮＧａ１がオンするまで形成されないためリレーＺ５１２がオンできない。このリレーＺ５１２がオンできないため２階のかご呼びが登録されない。次に２階かご呼びサービス切り離し時、１階または２階のかご呼び釦を操作すると、リレーＸ５１１またはリレーＸ５１２がオンし、Ｘ５１１ａ１またはＸ５１２ａ２のリレーＡ接点によりＰ−ＮＳＴａ１−Ｘ５１１ａ１−ＡＮＧ−Ｎの回路またはＰ−ＮＳＴａ１−Ｘ５１２ａ２−ＡＮＧ−Ｎの回路が形成され、かご呼び釦の押し順により暗号が成立すると暗号制御装置ＡＮＧのＡ接点ＡＮＧａ１がオンする。この時に、２階のかご呼び釦２Ｃが操作されるとリレーＸ５１２がオンし、Ｐ−Ｘ５１２ａ１−ＮＳＴ１−ＡＮＧａ１−Ｚ５１２−Ｎの回路が形成され、リレーＺ５１２がオンし、２階のかご呼びが登録される。このため、かご呼び釦の押し順による暗号を知らない人は２階のかご呼びが登録できないことになる。しかし、１階（玄関のある階床）のホール等から２階の利用者に携帯電話等で連絡し、かご内に乗り込み２階のかご呼び釦２Ｃを操作することにより、Ｐ−ＮＳＴａ２−Ｘ５１２ａ３−Ｆ−２ＤＨＬ−Ｎの回路が形成され、２階のかご呼び釦２Ｃを操作している間２階ダウンホール呼び応答灯２ＤＨＬが一定時間毎にオンするフリッカー接点Ｆにより、フリッカーする。このため携帯電話等で連絡を受けた２階の接客者は訪問客がかご内に乗り込んだことを知ることができる。この時、２階の接客者が２階ダウンホール呼び釦２Ｄを操作すると、Ｐ−２Ｄ−Ｚ８１２−Ｎの回路が形成され、リレーＺ８１２がオンし、２階ダウンホール呼びが登録される。また、この時２階ダウンホール呼びが登録されるため、Ｐ−ＮＳＴａ３−Ｚ８１２ａ３−Ｘ５１２ａ４−２ＣＬ−Ｎの回路が形成され、２階かご呼び応答灯が点灯する。このため、２階のかご呼び釦を操作している利用者は、２階ダウンホール呼びが登録されたことを確認し、２階のかご呼び釦から手を離すことができ、２階かご呼びサービス切り離し時も、２階の利用者は１階まで来客を迎えに行かなくても２階に訪問客を招くことが可能となる。
【００１３】
以上説明したように本実施形態によれば、特定階のかご呼びサービス切り離しを指定するかご呼びサービス切り離し指令が作動した時、特定階のかご呼び釦を操作すると、特定階のホール呼び応答灯を通常の点灯方法と異なるフリッカーさせる手段を設けたため、来客がかご内に乗ったことが、特定階で知ることができるため、特定階にいる利用者は、ホール釦を操作するだけで来客を特定階に呼べることになる。また、特定階のかご呼び釦を操作している来客も特定階のかご呼び応答灯が点灯することで、特定階のホール呼びが登録されたことを確認でき、特定階のかご呼び釦の操作を止めるタイミングを知ることができる。このため、特定階にいる利用者が来客を迎えに行く煩わしさがなくなる。また、かご内に同乗する必要もないため、かご呼びサービス切り離しを一時的に解除する手段を見られることなく、防犯上も安全である。
【００１４】
【発明の効果】
以上説明したように本発明によれば、一部又は全部の階床のかご呼びサービス切り離し時、接客者が玄関階まで迎えに行く煩わしさを解消するとともに、かご呼びサービス切り離しによる防犯効果を維持できる。
【図面の簡単な説明】
【図１】本発明の一実施形態に係るエレベーターの制御装置の電気結線図である。
【符号の説明】
２Ｃ  ２階かご呼び釦
２Ｄ  ２階ダウンホール呼び釦
２ＣＬ  ２階かご呼び応答灯
２ＤＨＬ  ２階ダウンホール呼び応答灯
Ｆ  一定時間毎にオンするフリッカー接点
ＡＮＧ  暗号制御装置
【図１】
2004182415.tif 000003